(57)【特許請求の範囲】
【請求項１】
紙筒６冊当り１８０Ｌの擂潰した籾殻の絶対含水量を２４ｍｌ／１００ｍｌに調整し、これと水分２５．６％の紙筒６冊当り１２０Ｌの乾性火山性土である土壌、肥料、炭酸カルシウム及び培地改良剤としての紙筒６冊当り３６Ｌのピートを混合したものを培地として甜菜を育苗することを特徴とする、甜菜苗の移植のとき紙筒からの土の消失を少なくする方法であって、
前記擂潰籾殻と前記土壌との容量比は６対４であり、甜菜苗の移植は全自動移植機により行われる方法。
【発明の詳細な説明】
【技術分野】
【０００１】
本発明は、甜菜の紙筒苗移植時の培土消失を防止する方法に関するものである。
【背景技術】
【０００２】
甜菜は現在ではそのほとんどで紙筒移植栽培が行われている。育苗に紙筒を使用している野菜農家や北海道甜菜栽培農家等では、近年規模拡大が序々に進んでおり、また、労働に従事する人が女性や老人に委ねられることが多くなっている。このため、紙筒用育苗培地の軽量化への要望が強い。従来、紙筒用の土壌として、畑土壌を使用したり、購入培地を使用しているが、重量が重かったり、購入価額が高価であったり、種々の問題点があった。このような欠点を補うために紙筒用の培地資材の選定条件としては、▲１▼大量に入手可能であり、かつ安価であること、▲２▼軽量であること、▲３▼良好な苗生育が得られること、を条件に選定を行うことが必要である。また、用途が紙筒用培地ということもあり、特有の性能が必要になってくる。とりわけ、甜菜の紙筒移植栽培については、機械化作業体系が確立しており、近年では移植機の高性能化・高速化が著しく、それにともなって移植時に紙筒からの土抜け（培土の消失）が問題となっている。紙筒からの土抜けは、甜菜の初期の生育に影響を与えることが明らかとなっているため、可能な限り防止することが必要である。
また、従来、土壌に生分解性樹脂、籾殻、椰子殻、ピート等が混合され、軽量用培地として使用されているが、これは発芽率が悪く、苗の大きさが不揃いであったり、培地として高価であるため、軽量化を達成できるものでなかった。
【発明の概要】
【発明が解決しようとする課題】
【０００３】
本発明は、甜菜の紙筒苗移植時の培土消失を防止する方法の提供を課題とし、軽量な培地でもって、育苗時の初期発芽が良く、苗の生育が良く、苗揃いの良い健常な苗を作ることができるようにすることを目的とする。
【課題を解決するための手段】
【０００４】
本発明者等は、甜菜の紙筒苗移植時の培土消失を防止する方法について鋭意検討した結果、第一発明として、擂潰した籾殻の絶対含水量を８〜３４ｍｌ／１００ｍｌに調整し、これと土壌及び肥料を混合したものを培地として甜菜を育苗することを特徴とする、甜菜苗の移植のとき紙筒からの土の消失を少なくする方法を新たに創製した。そして、擂潰籾殻と土壌との容量比が６対４であることが好ましい。更に、土壌が乾性火山性土であること、培地改良剤としてピートを混合すること、擂潰した籾殻の絶対含水量を２４ｍｌ／１００ｍｌに調整すること、全自動移植機により甜菜苗を移植することが、より好ましい甜菜の紙筒苗移植時の培土消失を防止する方法の形態である。これらの各素材の配合割合が甜菜の紙筒苗移植時の培土消失を防止する方法としてより良い効果を生み出す。
【０００５】
擂潰籾殻は簡単に入手できるうえ、育苗培地として土壌の代替えとして使用できるので、土壌の量を減少させることができ、培地の大幅な軽量化を達成できる。育苗培地に使用する土壌は、病虫害等の発生の恐れのない土、あるいは、畑土を薬剤又は熱等で処理して病害虫等の影響をなくしたもので、水分１５〜３５重量％程度に調整した土壌であればよい。また、擂潰籾殻は未発酵の籾殻を籾殻細粒化装置（擂潰方式、微粉砕方式、蒸砕膨軟方式等）を使用して容積重２４〜４０ｇ／１００ｍｌ程度に調整したものに適当量の水を均一に添加した擂潰籾殻を使用する。本発明の擂潰籾殻は、絶対含水量８〜３４ｍｌ／１００ｍｌであれば、どの方式で製造した擂潰籾殻も該当する。更に、より好ましい擂潰籾殻の絶対含水量としては１４〜３４ｍｌ／１００ｍｌ、最も好ましい擂潰籾殻の絶対含水
量としては１７〜３４ｍｌ／１００ｍｌが選択される。
培地に混合する培地改良材は、いずれも保水性、保肥性に優れているものを使用し、発芽率を向上させる。なお、培地改良材としては、動植物質資材、粘土鉱物系資材を使用するが、ピート（調整泥炭）、ピートモス、ブラックピート、ゼオライト、ベントナイト、バーミキュライト、木炭、籾殻燻炭、堆肥、動物性肥料より選ばれる１種又は２種以上のものを使用することができる。堆肥としては、バーク堆肥、鶏糞堆肥、牛糞堆肥、豚糞堆肥、馬糞堆肥が含まれる。また、動物性肥料としては、血粉、魚かす、骨粉が含まれる。しかし、保湿性、保肥性の改良に役立つものであればどのような培地改良材でも使用できる。
【０００６】
絶対含水量とは、擂潰籾殻の容量又は重量に含まれる水の絶対量である。すなわち、擂潰籾殻本体に含まれる水量と後から加えた水量の和である。
水分の測定は、一般的な土壌水分等の測定方法であれば良い。例えば、１０５℃の乾燥炉に４８時間放置し、乾燥前後の重量差で求めることができる。
穀物の水分測定は、食糧庁：標準計測方法（１９８１）に定める「５ｇ粉砕−１０５℃−５時間法」の基準に従い行われる。この基準は、籾をも対象としているため、１０５℃及び５時間の条件であれば擂潰籾殻を十分に乾燥できることが判る。従って、上記のように５時間の乾燥時間よりもさらに長時間の「１０５℃−４８時間」の条件で（これは土壌の水分測定条件でもある）乾燥することにより擂潰籾殻はより確実に乾燥される。
【０００７】
本発明の育苗培地は、ビート（甜菜）、野菜、花卉等の紙筒用育苗培地の用途だけではなく、植物（キャベツ、ほうれん草、ブロッコリー、レタス等の野菜類や菊、カーネーション、トルコキキョウ等の花卉類、大豆等の穀物類）のブロック苗育苗にも好適であり、この培地で育苗された苗はしっかりブロックされ、移植時の培地の崩落を防止することができる。
【発明を実施するための形態】
【０００８】
以下に本発明の実施例について述べる。
【実施例１】
【０００９】
市販の籾殻擂潰装置（株式会社北川鉄工製、ミルクル・ミニＧＭＧ１５０型）を使用し、農家より取得した未発酵の籾殻（水分約１０重量％）を繰り返し２回擂潰し、表１の粒度分布の擂潰籾殻を作成した。また、ライスセンターより産出された粉砕籾殻（水分約１２重量％）を取得し、これを上記擂潰装置により１回擂潰し、表２の粒度分布の擂潰籾殻を作成した。
【表１】
0005656367.tif 000002
【００１０】
表１の擂潰籾殻１００ｍｌに水１、７、１４、２１、２８ｍｌを均一に加え、水分の含んだ擂潰籾殻を作成した。その時の擂潰籾殻の絶対含水量は４、１０、１７、２５、３２ｍｌ／１００ｍｌであった。
【００１１】
【表２】
0005656367.tif 000003
【００１２】
表２の擂潰籾殻１００ｍｌに水４、１０、２０、３０、４０ｍｌを均一に加え、水分の含んだ擂潰籾殻を作成した。その時の擂潰籾殻の絶対含水量は８、１４、２４、３４、４４ｍｌ／１００ｍｌであった。
【実施例２】
【００１３】
擂潰籾殻の絶対含水量を変動させ、土壌：黒ボク土（水分約３０％）と擂潰籾殻を容量比４対６で混合した育苗培地を作成し、甜菜の発芽率を調査した。なお、育苗方法は、一般に行われている甜菜の育苗方法に従って行った。その結果を表３に示す。
【００１４】
【表３】
0005656367.tif 000004
【００１５】
発芽率をみると、擂潰籾殻の絶対含水量（ｍｌ／１００ｍｌ）８〜３４が発芽率として満足できる適当量である。
【実施例３】
【００１６】
次に、擂潰籾殻の絶対含水量（ｍｌ／１００ｍｌ）２４のものを使用し、土壌との混合割合による甜菜の育苗調査を行った。この擂潰籾殻と土壌（乾性火山性土、水分２６．２％）を容量割合で混合し、さらに紙筒育苗用肥料（苦土、ホウ素、マンガン入りビート育苗複合肥料１号、北海道日産化学製、５０ｋｇ／紙筒６０冊）を混合して培地を作成した。なお、育苗方法は甜菜の標準的な方法で行い、育苗期間は４０日行った。その結果を表４に示す。
【００１７】
【表４】
0005656367.tif 000005
【００１８】
甜菜の苗として、葉部及び根部指数９０以上が満足する値である。
【実施例４】
【００１９】
擂潰籾殻の絶対含水量（ｍｌ／１００ｍｌ）２４のものを使用し、この擂潰籾殻と土壌（乾性火山性土、水分２５．６％）を容量比６対４で混合した培地を作成し、更に、この培地に培地改良材（ピート：日本甜菜製糖製）を擂潰籾殻当たり７〜３３容量％混合し、表５のような配合割合の紙筒用育苗培地を作成し、甜菜の発芽率の調査を行った。その結果を表６に示す。
【００２０】
【表５】
0005656367.tif 000006
【００２１】
【表６】
0005656367.tif 000007
【００２２】
ピートを混合した育苗培地による発芽率は、擂潰籾殻当たりのピート配合割合１２〜２８容量％が好適であった。
【実施例５】
【００２３】
上記試験番号Ｄの育苗培地を使用して、４０日間育苗した甜菜苗の移植性能調査を行った。サークル鉄工社製、全自動移植機（ＣＡＰ−２型）を地表に固定し、モーターを駆動させ、苗が地表に落下したときの紙筒からの培土の消失率（土抜け率）を調査した。その結果を表７に示す。
【００２４】
【表７】
0005656367.tif 000008
【００２５】
土抜けは、試験品Ｄの方が慣行培土より少なく、更に、移植時の紙筒苗の中折れもなく、機械移植における紙筒用培地として適していることがわかった。また、育苗中の紙力低下を観察したが、落下による紙筒の崩壊もなく、紙力に及ぼす影響は慣行培土と同程度であり、充分育苗に耐えられる培地であることが判明した。
【産業上の利用可能性】
【００２６】
本発明の紙筒用育苗培地は、育苗容器に紙筒を使用するという特殊な条件をカバーできるものであり、培地の軽量化のみならず、発芽を良好に保ちつつ、紙筒からの培地落下を
最小限にくい止める培地であるため、機械による移植作業にも耐えることができる。更に、籾殻を使用した培地の欠点である初期発芽率を改善したものである。